(57)【要約】【課題】利便性良好に録画予約する。【解決手段】ＨＤＤレコーダのＭＰＵ１１は、電子番組表情報を取得し番組表記憶部１２１に格納する番組表取得部１１１と、リモコン３からの操作入力に基づいて番組表記憶部１２１の電子番組表情報を介して、録画を予約する番組を設定する第１録画予約部１１２と、録画予約番組が設定された場合に、パターン情報を取得し、パターン情報に基づいて番組が不定期で放送される番組であるか否かを判定するパターン判定部１１３と、不定期で放送される番組ではないと判定された場合に、リモコン３からの操作入力を介して、録画予約番組について、次回以降の番組の録画を予約するか否かを判定する予約判定部１１４と、次回以降の番組の録画を予約すると判定された場合に、電子番組表情報を介して、次回以降の番組の録画を予約する第２録画予約部１１５と、を備えている。【選択図】図２
2009049836.tif 000002
【特許請求の範囲】
【請求項１】
デジタル方式のテレビジョン放送を受信して、受信された映像情報を格納するデジタル放送記録装置であって、
デジタル方式のテレビジョン放送を受信する受信手段と、
前記受信手段を介して、電子番組表情報を取得する番組表取得手段と、
前記番組表取得手段によって取得された電子番組表情報を格納する番組表記憶手段と、
外部からの操作入力を受け付けて、受け付けられた操作入力に基づいて、前記番組表記憶手段に格納された電子番組表情報を介して、録画を予約する番組を設定する第１録画予約手段と、
前記第１録画予約手段によって録画を予約する番組が設定された場合に、前記番組表記憶手段に格納された電子番組表情報を介して、該番組が不定期で放送される番組であるか否かを示すパターン情報を取得し、取得されたパターン情報に基づいて、前記第１録画予約手段によって録画を予約された番組が、不定期で放送される番組であるか否かを判定するパターン判定手段と、
前記パターン判定手段によって不定期で放送される番組ではないと判定された場合に、外部からの操作入力を受け付けて、受け付けられた操作入力に基づいて、前記第１録画予約手段によって録画を予約する設定が行われた番組について、次回以降の番組の録画を予約するか否かを判定する予約判定手段と、
前記予約判定手段によって次回以降の番組の録画を予約すると判定された場合に、予め設定された所定期間毎に、前記番組表取得手段に対して電子番組表を取得させ、取得された電子番組表情報を介して、次回以降の番組の録画を予約する第２録画予約手段と、
を備えることを特徴とするデジタル放送記録装置。
【請求項２】
前記パターン判定手段は、前記パターン情報として、前記番組表記憶手段に格納された電子番組表に含まれ、前記第１録画予約手段によって録画を予約する設定が行われた番組に対応する番組情報（ＥＩＴ：Ｅｖｅｎｔ  Ｉｎｆｏｒｍａｔｉｏｎ  Ｔａｂｌｅ）のシリーズ記述子（Ｓｅｒｉｅｓ  Ｄｅｓｃｒｉｐｔｏｒ）に含まれる番組パターン情報（ｐｒｏｇｒａｍ＿ｐａｔｔｅｒｎ）を取得することを特徴とする請求項１に記載のデジタル放送記録装置。
【請求項３】
前記予約判定手段によって次回以降の番組の録画を予約すると判定された場合に、前記第１録画予約手段によって録画を予約する設定が行われた番組に対応し、番組を識別する情報である番組識別情報を、前記番組表記憶手段に格納された電子番組表情報を介して取得する識別情報取得手段と、
前記識別情報取得手段によって取得された番組識別情報を格納する識別情報記憶手段と、
を備え、
前記第２録画予約手段は、前記番組表取得手段によって取得された電子番組表情報の中から、前記識別情報記憶手段に格納された番組識別情報と同一の番組識別情報を有する番組である録画対象番組を検索し、検索された録画対象番組の録画を予約することを特徴とする請求項１又は請求項２に記載のデジタル放送記録装置。
【請求項４】
前記識別情報取得手段は、前記番組識別情報として、前記電子番組表情報に含まれ、前記第１録画予約手段によって録画を予約する設定が行われた番組に対応する番組情報（ＥＩＴ：Ｅｖｅｎｔ  Ｉｎｆｏｒｍａｔｉｏｎ  Ｔａｂｌｅ）のシリーズ記述子（Ｓｅｒｉｅｓ  Ｄｅｓｃｒｉｐｔｏｒ）に含まれるサービスＩＤ情報（ｓｅｒｖｉｃｅ＿ｉｄ）を取得することを特徴とする請求項３に記載のデジタル放送記録装置。
【請求項５】
前記予約判定手段によって次回以降の番組の録画を予約すると判定された場合に、前記第１録画予約手段によって録画を予約する設定が行われた番組に対応し、再放送の回数を示す情報であるリピート情報を、前記番組表記憶手段に格納された電子番組表情報を介して取得して、前記識別情報記憶手段に記録するリピート取得手段と、
前記リピート取得手段に対して、前記第２録画予約手段によって検索された録画対象番組のリピート情報を、前記番組表取得手段によって取得された電子番組表情報を介して取得させると共に、取得されたリピート情報が、前記識別情報記憶手段に格納されたリピート情報と一致しない場合に、前記第２録画予約手段に対して検索された録画対象番組の録画を予約することを禁止する禁止手段と、
を備えることを特徴とする請求項３又は請求項４に記載のデジタル放送記録装置。
【請求項６】
前記リピート取得手段は、前記リピート情報として、前記電子番組表情報に含まれ、前記第１録画予約手段によって録画を予約する設定が行われた番組、及び、前記録画対象番組に対応する番組情報（ＥＩＴ）のシリーズ記述子に含まれるリピートラベル情報（ｒｅｐｅａｔ＿ｌａｂｅｌ）を取得することを特徴とする請求項５に記載のデジタル放送記録装置。
【請求項７】
前記第２録画予約手段によって録画対象番組の録画が予約された場合に、該録画対象番組の放送回数を示す放送回数情報、及び、該録画対象番組の最終回の放送回数を示す最終回回数情報を、前記番組表取得手段によって取得された電子番組表情報を介して取得し、取得された放送回数情報が、取得された最終回回数情報と一致するか否かを判定する最終回判定手段を備え、
前記第２録画予約手段は、前記最終回判定手段によって最終回回数情報と一致すると判定された場合に、番組の録画の予約処理を終了することを特徴とする請求項１〜請求項６のいずれかに記載のデジタル放送記録装置。
【請求項８】
前記最終回判定手段は、前記放送回数情報及び最終回回数情報として、それぞれ、前記電子番組表情報に含まれ、該録画対象番組に対応する番組情報（ＥＩＴ）のシリーズ記述子に含まれるエピソード番号情報（ｅｐｉｓｏｄｅ＿ｎｕｍｂｅｒ）及び最終エピソード番号情報（ｌａｓｔ＿ｅｐｉｓｏｄｅ＿ｎｕｍｂｅｒ）を取得することを特徴とする請求項７に記載のデジタル放送記録装置。
【発明の詳細な説明】
【技術分野】
【０００１】
本発明は、デジタル方式のテレビジョン放送を受信して、受信された映像情報を格納するデジタル放送記録装置に関する。
【背景技術】
【０００２】
従来、テレビジョン放送を受信して、受信された映像情報を格納するＨＤＤ（Ｈａｒｄ  Ｄｉｓｋ  Ｄｒｉｖｅ）レコーダ等の放送記録装置は、ＨＤＤ等の記録媒体の大容量化に伴い、多数の番組を予約録画することが可能となっている。
【０００３】
一方、番組には、予め設定された所定曜日の所定時刻に放送されるシリーズ番組の形態がある。シリーズ番組としては、連続ドラマ、アニメーション番組等があり、シリーズ番組の予約録画を所望する場合に、利便性良好に予約録画を行う種々の装置、方法等が提案されている。
【０００４】
上記課題を解消するべく、例えば、放送波又はネットワークを介して送られてくる番組表を取得する取得部と、取得部で取得された番組表の任意の番組について、反復的に予約を行うシリーズ予約を設定する設定部と、設定部がシリーズ予約を設定した番組名について、１週間のうち複数曜日について同一時間に放送予定の番組Ｐ１があれば、これを帯番組と判定する帯番組判定部と、取得部が取得した番組表の中から番組名を検索し、設定部がシリーズ予約を設定した番組名の内、帯番組判定部が帯番組と判定した番組名については、この番組名と一部又は全部が同一の番組名について自動的に予約登録を行う自動予約部とを有する録画予約装置が開示されている（特許文献１参照）。
【特許文献１】特開２００７−８８８９３号公報
【発明の開示】
【発明が解決しようとする課題】
【０００５】
しかしながら、上記録画予約装置においては、シリーズ番組の内、１週間のうち複数曜日について同一時間に放送予定の番組がある帯番組については、利便性良好に録画予約が行われるものの、他の種類のシリーズ番組（例えば、週１回、又は月１回定期的に放送される番組等）については、録画予約の利便性が充分ではない場合がある。
【０００６】
また、番組名に基づいて検索しているため、何らかの事情により番組名が変更された場合には、適正に録画予約が行えない場合がある。更に、番組名が同一の番組が、複数の放送局から受信される場合には、同一の番組が重複して記録される場合がある。このように、種々の点において、上記録画予約装置は利便性が充分ではない場合があった。
【０００７】
本発明は、上記課題に鑑みてなされたものであって、利便性良好に録画予約することの可能なデジタル放送記録装置を提供することを目的としている。
【課題を解決するための手段】
【０００８】
上記目的を達成するために請求項１に記載のデジタル放送記録装置は、デジタル方式のテレビジョン放送を受信して、受信された映像情報を格納するデジタル放送記録装置であって、デジタル方式のテレビジョン放送を受信する受信手段と、前記受信手段を介して、電子番組表情報を取得する番組表取得手段と、前記番組表取得手段によって取得された電子番組表情報を格納する番組表記憶手段と、外部からの操作入力を受け付けて、受け付けられた操作入力に基づいて、前記番組表記憶手段に格納された電子番組表情報を介して、録画を予約する番組を設定する第１録画予約手段と、前記第１録画予約手段によって録画を予約する番組が設定された場合に、前記番組表記憶手段に格納された電子番組表情報を介して、該番組が不定期で放送される番組であるか否かを示すパターン情報を取得し、取得されたパターン情報に基づいて、前記第１録画予約手段によって録画を予約された番組が、不定期で放送される番組であるか否かを判定するパターン判定手段と、前記パターン判定手段によって不定期で放送される番組ではないと判定された場合に、外部からの操作入力を受け付けて、受け付けられた操作入力に基づいて、前記第１録画予約手段によって録画を予約する設定が行われた番組について、次回以降の番組の録画を予約するか否かを判定する予約判定手段と、前記予約判定手段によって次回以降の番組の録画を予約すると判定された場合に、予め設定された所定期間毎に、前記番組表取得手段に対して電子番組表を取得させ、取得された電子番組表情報を介して、次回以降の番組の録画を予約する第２録画予約手段と、を備えることを特徴としている。
【０００９】
請求項２に記載のデジタル放送記録装置は、請求項１に記載のデジタル放送記録装置であって、前記パターン判定手段が、前記パターン情報として、前記番組表記憶手段に格納された電子番組表に含まれ、前記第１録画予約手段によって録画を予約する設定が行われた番組に対応する番組情報（ＥＩＴ：Ｅｖｅｎｔ  Ｉｎｆｏｒｍａｔｉｏｎ  Ｔａｂｌｅ）のシリーズ記述子（Ｓｅｒｉｅｓ  Ｄｅｓｃｒｉｐｔｏｒ）に含まれる番組パターン情報（ｐｒｏｇｒａｍ＿ｐａｔｔｅｒｎ）を取得することを特徴としている。
【００１０】
請求項３に記載のデジタル放送記録装置は、請求項１又は請求項２に記載のデジタル放送記録装置であって、前記予約判定手段によって次回以降の番組の録画を予約すると判定された場合に、前記第１録画予約手段によって録画を予約する設定が行われた番組に対応し、番組を識別する情報である番組識別情報を、前記番組表記憶手段に格納された電子番組表情報を介して取得する識別情報取得手段と、前記識別情報取得手段によって取得された番組識別情報を格納する識別情報記憶手段と、を備え、前記第２録画予約手段は、前記番組表取得手段によって取得された電子番組表情報の中から、前記識別情報記憶手段に格納された番組識別情報と同一の番組識別情報を有する番組である録画対象番組を検索し、検索された録画対象番組の録画を予約することを特徴としている。
【００１１】
請求項４に記載のデジタル放送記録装置は、請求項３に記載のデジタル放送記録装置であって、前記識別情報取得手段が、前記番組識別情報として、前記電子番組表情報に含まれ、前記第１録画予約手段によって録画を予約する設定が行われた番組に対応する番組情報（ＥＩＴ：Ｅｖｅｎｔ  Ｉｎｆｏｒｍａｔｉｏｎ  Ｔａｂｌｅ）のシリーズ記述子（Ｓｅｒｉｅｓ  Ｄｅｓｃｒｉｐｔｏｒ）に含まれるサービスＩＤ情報（ｓｅｒｖｉｃｅ＿ｉｄ）を取得することを特徴としている。
【００１２】
請求項５に記載のデジタル放送記録装置は、請求項３又は請求項４に記載のデジタル放送記録装置であって、前記予約判定手段によって次回以降の番組の録画を予約すると判定された場合に、前記第１録画予約手段によって録画を予約する設定が行われた番組に対応し、再放送の回数を示す情報であるリピート情報を、前記番組表記憶手段に格納された電子番組表情報を介して取得して、前記識別情報記憶手段に記録するリピート取得手段と、前記リピート取得手段に対して、前記第２録画予約手段によって検索された録画対象番組のリピート情報を、前記番組表取得手段によって取得された電子番組表情報を介して取得させると共に、取得されたリピート情報が、前記識別情報記憶手段に格納されたリピート情報と一致しない場合に、前記第２録画予約手段に対して検索された録画対象番組の録画を予約することを禁止する禁止手段と、を備えることを特徴としている。
【００１３】
請求項６に記載のデジタル放送記録装置は、請求項５に記載のデジタル放送記録装置であって、前記リピート取得手段が、前記リピート情報として、前記電子番組表情報に含まれ、前記第１録画予約手段によって録画を予約する設定が行われた番組、及び、前記録画対象番組に対応する番組情報（ＥＩＴ）のシリーズ記述子に含まれるリピートラベル情報（ｒｅｐｅａｔ＿ｌａｂｅｌ）を取得する特徴としている。
【００１４】
請求項７に記載のデジタル放送記録装置は、請求項１〜請求項６のいずれかに記載のデジタル放送記録装置であって、前記第２録画予約手段によって録画対象番組の録画が予約された場合に、該録画対象番組の放送回数を示す放送回数情報、及び、該録画対象番組の最終回の放送回数を示す最終回回数情報を、前記番組表取得手段によって取得された電子番組表情報を介して取得し、取得された放送回数情報が、取得された最終回回数情報と一致するか否かを判定する最終回判定手段を備え、前記第２録画予約手段が、前記最終回判定手段によって最終回回数情報と一致すると判定された場合に、番組の録画の予約処理を終了することを特徴としている。
【００１５】
請求項８に記載の放送記録装置は、請求項７に記載の放送記録装置であって、前記最終回判定手段が、前記放送回数情報及び最終回回数情報として、それぞれ、前記電子番組表情報に含まれ、該録画対象番組に対応する番組情報（ＥＩＴ）のシリーズ記述子に含まれるエピソード番号情報（ｅｐｉｓｏｄｅ＿ｎｕｍｂｅｒ）及び最終エピソード番号情報（ｌａｓｔ＿ｅｐｉｓｏｄｅ＿ｎｕｍｂｅｒ）を取得することを特徴としている。
【発明の効果】
【００１６】
請求項１に記載のデジタル放送記録装置によれば、デジタル方式のテレビジョン放送を受信する受信手段を介して、電子番組表情報が取得され、取得された電子番組表情報が番組表記憶手段に格納される。そして、外部からの操作入力が受け付けられて、受け付けられた操作入力に基づいて、番組表記憶手段に格納された電子番組表情報を介して、録画を予約する番組が設定され、録画を予約する番組が設定された場合に、番組表記憶手段に格納された電子番組表情報を介して、該番組が不定期で放送される番組であるか否かを示すパターン情報が取得され、取得されたパターン情報に基づいて、録画を予約された番組が、不定期で放送される番組であるか否かが判定される。更に、不定期で放送される番組ではないと判定された場合に、外部からの操作入力が受け付けられて、受け付けられた操作入力に基づいて、録画を予約する設定が行われた番組について、次回以降の番組の録画を予約するか否かが判定され、次回以降の番組の録画を予約すると判定された場合に、予め設定された所定期間毎に電子番組表が取得され、取得された電子番組表情報を介して、次回以降の番組の録画が予約されるため、利便性良好に録画予約することができる。
【００１７】
すなわち、録画を予約する番組が設定された場合に、番組表記憶手段に格納された電子番組表情報を介して、該番組が不定期で放送される番組であるか否かを示すパターン情報が取得され、取得されたパターン情報に基づいて、録画を予約された番組が、不定期で放送される番組であるか否かが判定され、不定期で放送される番組ではないと判定された場合に、外部からの操作入力が受け付けられて、受け付けられた操作入力に基づいて、録画を予約する設定が行われた番組について、次回以降の番組の録画を予約するか否かが判定されるため、不定期で放送される番組について、ユーザの誤操作等によって次回以降の番組の録画が誤って予約されることを確実に防止することができるので、利便性良好に録画予約することができるのである。
【００１８】
また、次回以降の番組の録画を予約すると判定された場合に、予め設定された所定期間毎に電子番組表が取得され、取得された電子番組表情報を介して、次回以降の番組の録画が予約されるため、ユーザが次回以降の番組の録画を予約する必要がないので、利便性良好に録画予約することができるのである。
【００１９】
請求項２に記載のデジタル放送記録装置によれば、番組が不定期で放送される番組であるか否かを示すパターン情報として、番組表記憶手段に格納された電子番組表に含まれ、録画を予約する設定が行われた番組に対応する番組情報（ＥＩＴ：Ｅｖｅｎｔ  Ｉｎｆｏｒｍａｔｉｏｎ  Ｔａｂｌｅ）のシリーズ記述子（Ｓｅｒｉｅｓ  Ｄｅｓｃｒｉｐｔｏｒ）に含まれる番組パターン情報（ｐｒｏｇｒａｍ＿ｐａｔｔｅｒｎ）が取得される（ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）−ＳＴＤ−Ｂ４０  Ｖｅｒｓｉｏｎ４．４  参照）ため、的確なパターン情報を容易に取得することができるので、更に利便性良好に録画予約することができる。
【００２０】
請求項３に記載のデジタル放送記録装置によれば、次回以降の番組の録画を予約すると判定された場合に、録画を予約する設定が行われた番組に対応し、番組を識別する情報である番組識別情報が、番組表記憶手段に格納された電子番組表情報を介して取得され、取得された番組識別情報が識別情報記憶手段に格納される。そして、電子番組表情報の中から、識別情報記憶手段に格納された番組識別情報と同一の番組識別情報を有する番組である録画対象番組が検索され、検索された録画対象番組の録画が予約されるため、更に利便性良好に録画予約することができる。
【００２１】
すなわち、録画を予約する設定が行われた番組に対応し、番組を識別する情報である番組識別情報と同一の番組識別情報を有する番組である録画対象番組が検索され、検索された録画対象番組の録画が予約されるため、何らかの事情により番組名が変更された場合であっても確実に次回以降の番組の録画を予約することができるので、更に利便性良好に録画予約することができるのである。
【００２２】
請求項４に記載のデジタル放送記録装置によれば、番組識別情報として、電子番組表情報に含まれ、録画を予約する設定が行われた番組に対応する番組情報（ＥＩＴ：Ｅｖｅｎｔ  Ｉｎｆｏｒｍａｔｉｏｎ  Ｔａｂｌｅ）のシリーズ記述子（Ｓｅｒｉｅｓ  Ｄｅｓｃｒｉｐｔｏｒ）に含まれるサービスＩＤ情報（ｓｅｒｖｉｃｅ＿ｉｄ）が取得される（ＡＲＩＢ−ＳＴＤ−Ｂ４０  Ｖｅｒｓｉｏｎ４．４  参照）ため、的確な番組識別情報を容易に取得することができるので、更に利便性良好に録画予約することができる。
【００２３】
請求項５に記載のデジタル放送記録装置によれば、次回以降の番組の録画を予約すると判定された場合に、録画を予約する設定が行われた番組に対応し、再放送の回数を示す情報であるリピート情報が、番組表記憶手段に格納された電子番組表情報を介して取得されて、識別情報記憶手段に記録される。そして、検索された録画対象番組のリピート情報が、電子番組表情報を介して取得されると共に、取得されたリピート情報が、識別情報記憶手段に格納されたリピート情報と一致しない場合に、検索された録画対象番組の録画を予約することが禁止されるため、更に利便性良好に録画予約することができる。
【００２４】
すなわち、検索された録画対象番組に対応する再放送の回数を示す情報であるリピート情報が、録画を予約する設定が行われた番組に対応するリピート情報と一致しない場合に、検索された録画対象番組の録画を予約することが禁止されるため、番組識別情報が同一の番組が複数の放送局から受信される場合であっても、これらの番組は、リピート情報が相違しているので、同一の番組が重複して記録されることを防止することができ、更に利便性良好に録画予約することができるのである。
【００２５】
請求項６に記載のデジタル放送記録装置によれば、リピート情報として、電子番組表情報に含まれ、録画を予約する設定が行われた番組、及び、録画対象番組に対応する番組情報（ＥＩＴ）のシリーズ記述子に含まれるリピートラベル情報（ｒｅｐｅａｔ＿ｌａｂｅｌ）が取得される（ＡＲＩＢ−ＳＴＤ−Ｂ４０  Ｖｅｒｓｉｏｎ４．４  参照）ため、的確なリピート情報を容易に取得することができるので、更に利便性良好に録画予約することができる。
【００２６】
請求項７に記載のデジタル放送記録装置によれば、録画対象番組の録画が予約された場合に、該録画対象番組の放送回数を示す放送回数情報、及び、該録画対象番組の最終回の放送回数を示す最終回回数情報が、取得された電子番組表情報を介して取得され、取得された放送回数情報が、取得された最終回回数情報と一致するか否かが判定される。そして、最終回回数情報と一致すると判定された場合に、番組の録画の予約処理が終了されるため、更に利便性良好に録画予約することができる。
【００２７】
すなわち、録画対象番組の録画が予約された場合に、録画対象番組の放送回数を示す放送回数情報が、録画対象番組の最終回の放送回数を示す最終回回数情報と一致すると判定された場合に、番組の録画の予約処理が終了されるため、最終回の録画予約がされた時点で、番組の録画の予約処理が終了されるので、更に利便性良好に録画予約することができるのである。
【００２８】
請求項８に記載のデジタル放送記録装置によれば、放送回数情報及び最終回回数情報として、それぞれ、電子番組表情報に含まれ、録画対象番組に対応する番組情報（ＥＩＴ）のシリーズ記述子に含まれるエピソード番号情報（ｅｐｉｓｏｄｅ＿ｎｕｍｂｅｒ）及び最終エピソード番号情報（ｌａｓｔ＿ｅｐｉｓｏｄｅ＿ｎｕｍｂｅｒ）が取得される（ＡＲＩＢ−ＳＴＤ−Ｂ４０  Ｖｅｒｓｉｏｎ４．４  参照）ため、的確な放送回数情報及び最終回回数情報を容易に取得することができるので、更に利便性良好に録画予約することができる。
【発明を実施するための最良の形態】
【００２９】
以下に本発明の実施形態を、図面を参照しながら説明する。図１は、本発明に係るＨＤＤレコーダの構成の一例を示すブロック図である。ＨＤＤレコーダ１（デジタル放送記録装置に相当する）は、出力装置２と通信可能に接続されると共に、リモートコントローラ（＝Ｒｅｍｏｔｅｃｏｎｔｒｏｌｌｅｒ：以下、「リモコン」という）３と赤外線通信を介して通信可能に接続されている。
【００３０】
ＨＤＤレコーダ１は、リモコン３を介してユーザからの操作入力を受け付けて、受け付けた操作入力に基づいて、デジタル方式のテレビジョン放送を受信し、受信した映像情報、音声情報を含む番組情報をＨＤＤ１９に格納するものである。また、ＨＤＤレコーダ１は、リモコン３を介してユーザからの操作入力を受け付けて、受け付けた操作入力に基づいて、ＨＤＤ１９に格納された番組情報を読み出して再生し、出力装置２に対して映像及び音声を出力するものである。
【００３１】
出力装置２は、ディスプレイ２１及びスピーカ２２を備え、ＨＤＤレコーダ１から入力された音声情報及び映像情報を出力するものである。ディスプレイ２１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、ＨＤＤレコーダ１から入力された映像情報に対応する映像を外部から視認可能に表示するものである。スピーカ２２は、ＨＤＤレコーダ１から入力された音声情報に対応する音声を出力するものである。
【００３２】
リモコン３（第１録画予約手段の一部、予約判定手段の一部に相当する）は、ユーザからの操作入力を受け付けて、受け付けられた操作入力に対応する赤外線信号を生成して、ＨＤＤレコーダ１に対して出力するものである。
【００３３】
また、ＨＤＤレコーダ１は、ＭＰＵ１１、ＲＡＭ１２、ＲＯＭ１３、操作部１４、受信部１５、音声出力部１６、ＭＰＥＧ２デコード部１７、画像出力部１８、及び、ＨＤＤ１９を備えている。
【００３４】
ＭＰＵ（Ｍｉｃｒｏ  Ｐｒｏｃｅｓｓｉｎｇ  Ｕｎｉｔ）１１は、ＨＤＤレコーダ１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００３５】
操作部１４は、電源のＯＮ、ＯＦＦ操作、選局等の各種操作を受け付けるものである。また、操作部１４は、赤外線通信を介して、リモコン３からの操作信号を受け付けて、各種操作を受け付けるものである。受信部１５（受信手段に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００３６】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００３７】
音声出力部１６は、受信部１５によって受信されたテレビジョン放送に対応する音声信号をスピーカ２２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号をスピーカ２２に対して出力するものである。
【００３８】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００３９】
画像出力部１８は、ＭＰＥＧ２デコード部１７によって復号化された映像信号をディスプレイ２１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ２１に対して出力するものである。
【００４０】
ＨＤＤ（Ｈａｒｄ  Ｄｉｓｋ  Ｄｒｉｖｅ）１９は、ＭＰＵ１１からの指示に従って、受信部１５を介して受信された映像情報、音声情報等の種々の情報を格納するものである。
【００４１】
次に、ＨＤＤレコーダ１が放送を受信する場合の動作について説明する。まず、送信されてきたデジタル放送波がアンテナ部１５１で受信される。リモコン３（又は、操作部１４）を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００４２】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ２２から音声が出力される。
【００４３】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ２１に映像が表示される。
【００４４】
図２は、本発明に係るＨＤＤレコーダ１における主要部の構成の一例を示すブロック図である。ＭＰＵ１１は、機能的に、番組表取得部１１１、第１録画予約部１１２、パターン判定部１１３、予約判定部１１４、第２録画予約部１１５、識別情報取得部１１６、リピート取得部１１７、禁止部１１８、及び、最終回判定部１１９を備え、ＲＡＭ１２は、番組表記憶部１２１、録画予約記憶部１２２、及び、識別情報記憶部１２３を備えている。
【００４５】
ここでは、ＭＰＵ１１が、図１に示すＲＯＭ１３等に予め格納された制御プログラムを読み出して実行することにより、番組表取得部１１１、第１録画予約部１１２、パターン判定部１１３、予約判定部１１４、第２録画予約部１１５、識別情報取得部１１６、リピート取得部１１７、禁止部１１８、最終回判定部１１９等の機能部として機能すると共に、ＨＤＤ１９を、映像記憶部１９１等の機能部として機能させ、ＲＡＭ１２を、番組表記憶部１２１、録画予約記憶部１２２、識別情報記憶部１２３等の機能部として機能させるものである。
【００４６】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００４７】
番組表記憶部１２１（番組表記憶手段に相当する）は、番組表取得部１１１によって取得された電子番組表（ＥＰＧ：Ｅｌｅｃｔｒｏｎｉｃ  Ｐｒｏｇｒａｍ  Ｇｕｉｄｅ）情報を格納するものである。番組表記憶部１２１に格納された電子番組表情報は、第１録画予約部１１２及び第２録画予約部１１５によって読み出されるものである。
【００４８】
録画予約記憶部１２２は、第１録画予約部１１２及び第２録画予約部１１５によって、設定される番組の予約録画に関する情報を格納するものである。具体的には、録画予約記憶部１２２は、予約録画される番組毎に、それぞれ、番組名称情報、放送開始日時情報、放送終了日時情報、放送チャンネル番号情報等を対応付けて格納するものである。録画予約記憶部１２２に格納された予約録画に関する情報は、図略の録画実行部によって読み出され、予約録画が実行される（＝予約録画された番組の映像情報等が受信部１５を介して取得され、図１に示すＨＤＤ１９に格納される）ものである。
【００４９】
識別情報記憶部１２３（識別情報記憶手段に相当する）は、識別情報取得部１１６によって取得された番組識別情報、及び、リピート取得部１１７によって取得されたリピート情報を格納するものである。識別情報記憶部１２３に格納された番組識別情報は、第２録画予約部１１５によって読み出され、識別情報記憶部１２３に格納されたリピート情報は、禁止部１１８によって読み出されるものである。
【００５０】
番組表取得部１１１（番組表取得手段に相当する）は、受信部１５を介して、電子番組表（ＥＰＧ：Ｅｌｅｃｔｒｏｎｉｃ  Ｐｒｏｇｒａｍ  Ｇｕｉｄｅ）情報を取得すると共に、取得した電子番組表情報を番組表記憶部１２１に記録する（＝書き込む）ものである。
【００５１】
第１録画予約部１１２（第１録画予約手段の一部に相当する）は、リモコン３を介してユーザからの操作入力を受け付けて、受け付けられた操作入力に基づいて、番組表記憶部１２１に格納された電子番組表情報を介して、録画を予約する番組を設定すると共に、設定する番組に対応する予約録画に関する情報を、番組表記憶部１２１に格納された電子番組表情報を介して取得して、録画予約記憶部１２２に記録する（＝書き込む）ものである。
【００５２】
例えば、第１録画予約部１１２は、リモコン３に配設された番組表表示キーが押下された場合に、ディスプレイ２１に番組表記憶部１２１に格納された電子番組表を表示し、リモコン３に配設された方向キーを介して番組の選択を受け付けて、リモコン３に配設された録画キーが押下された場合に、選択されている番組の録画を予約するものである。
【００５３】
パターン判定部１１３（パターン判定手段に相当する）は、第１録画予約部１１２によって録画を予約する番組が設定された場合に、番組表記憶部１２１に格納された電子番組表情報を介して、該番組が不定期で放送される番組であるか否かを示すパターン情報を取得し、取得されたパターン情報に基づいて、第１録画予約部１１２によって録画を予約された番組が、不定期で放送される番組であるか否かを判定するものである。
【００５４】
具体的には、パターン判定部１１３は、パターン情報として、番組表記憶部１２１に格納された電子番組表に含まれ、第１録画予約部１１２によって録画を予約する設定が行われた番組に対応する番組情報（ＥＩＴ：Ｅｖｅｎｔ  Ｉｎｆｏｒｍａｔｉｏｎ  Ｔａｂｌｅ）のシリーズ記述子（Ｓｅｒｉｅｓ  Ｄｅｓｃｒｉｐｔｏｒ）に含まれる番組パターン情報（ｐｒｏｇｒａｍ＿ｐａｔｔｅｒｎ）を取得する（ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）−ＳＴＤ−Ｂ４０  Ｖｅｒｓｉｏｎ４．４  参照）ものである。
【００５５】
図３（ａ）は、パターン判定部１１３によってパターン情報として使用される番組パターン情報の一例を示す図表である。図の左欄が、番組パターン情報であって、右欄が、番組の放送周期を示している。例えば、番組パターン情報が「０００」である場合には、番組の放送周期が「不定期」であり、番組パターン情報が「００１」である場合には、番組の放送周期が「帯番組」である。
【００５６】
すなわち、パターン判定部１１３は、第１録画予約部１１２によって録画を予約する番組の番組パターン情報が「０００」である場合には、不定期で放送される番組であると判定し、番組パターン情報が「０００」ではない場合には、不定期で放送される番組ではないと判定するものである。
【００５７】
再び、図２に戻って、ＭＰＵ１１の機能構成について説明する。予約判定部１１４（予約判定手段の一部に相当する）は、パターン判定部１１３によって不定期で放送される番組ではないと判定された場合に、リモコン３を介してユーザからの操作入力を受け付けて、受け付けられた操作入力に基づいて、第１録画予約部１１２によって録画を予約する設定が行われた番組について、次回以降の番組の録画を予約するか否かを判定するものである。ここでは、予約判定部１１４は、図３（ｂ）に示す番組予約画面４００をディスプレイ２１に表示して、番組予約画面４００を介して、ユーザからの操作入力を受け付けて、受け付けられた操作入力に基づいて、次回以降の番組の録画を予約するか否かを判定するものである。
【００５８】
図３（ｂ）は、予約判定部１１４によってディスプレイ２１に表示される番組予約画面の一例を示す画面図である。番組予約画面４００には、画面上部に、ガイダンス表示部４０１が表示され、画面下部に、ＹＥＳボタン４０２、及び、ＮＯボタン４０３が表示されている。ガイダンス表示部４０１は、録画を予約する設定が行われた番組が不定期で放送される番組ではない旨の情報、及び、ユーザに次回以降の番組の録画を予約するか否かの入力を促す旨の情報を表示するものである。
【００５９】
ＹＥＳボタン４０２は、次回以降の番組の録画を予約する場合に押下されるボタンであって、ＮＯボタン４０３は、次回以降の番組の録画を予約しない場合に押下されるボタンである。ここで、「押下される」とは、例えば、リモコン３に配設された方向キーを介して番組の選択状態とされ、リモコン３に配設された決定キーが押下されることを意味している。
【００６０】
再び、図２に戻って、ＭＰＵ１１の機能構成について説明する。第２録画予約部１１５（第２録画予約手段に相当する）は、予約判定部１１４によって次回以降の番組の録画を予約すると判定された場合に、予め設定された所定期間毎（例えば、６時間毎）に、番組表取得部１１１に対して電子番組表を取得させ、取得された電子番組表情報を介して、第１録画予約部１１２によって録画を予約する設定が行われた番組について、次回以降の番組の録画を予約するものである。
【００６１】
具体的には、第２録画予約部１１５は、番組表取得部１１１によって取得された電子番組表情報の中から、識別情報記憶部１２３に格納された番組識別情報（ここでは、サービスＩＤ情報（ｓｅｒｖｉｃｅ＿ｉｄ））と同一の番組識別情報を有する番組である録画対象番組を検索し、検索された録画対象番組の録画を予約するものである。
【００６２】
また、第２録画予約部１１５は、禁止部１１８によって、検索された録画対象番組の録画を予約することが禁止された場合（＝リピート情報が一致しない場合）には、検索された録画対象番組の録画の予約を解除するものである。すなわち、第２録画予約部１１５は、識別情報記憶部１２３に格納された番組識別情報と同一の番組識別情報を有する番組である録画対象番組を検索し、検索された録画対象番組のリピート情報（ここでは、リピートラベル情報（ｒｅｐｅａｔ＿ｌａｂｅｌ））が、識別情報記憶部１２３に格納されたリピート情報と一致する場合に、検索された録画対象番組の録画を予約するものである。
【００６３】
更に、第２録画予約部１１５は、最終回判定部１１９によって、第２録画予約手段により録画が予約された録画対象番組の放送回数情報が最終回回数情報と一致する（＝録画対象番組が最終回である）と判定された場合に、番組の録画の予約処理を終了するものである。
【００６４】
識別情報取得部１１６（識別情報取得手段に相当する）は、予約判定部１１４によって次回以降の番組の録画を予約すると判定された場合に、第１録画予約部１１２によって録画を予約する設定が行われた番組に対応し、番組を識別する情報である番組識別情報を、番組表記憶部１２１に格納された電子番組表情報を介して取得するものである。
【００６５】
具体的には、識別情報取得部１１６は、番組識別情報として、電子番組表情報に含まれ、第１録画予約部１１２によって録画を予約する設定が行われた番組に対応する番組情報（ＥＩＴ：Ｅｖｅｎｔ  Ｉｎｆｏｒｍａｔｉｏｎ  Ｔａｂｌｅ）のシリーズ記述子（Ｓｅｒｉｅｓ  Ｄｅｓｃｒｉｐｔｏｒ）に含まれるサービスＩＤ情報（ｓｅｒｖｉｃｅ＿ｉｄ）を取得する（ＡＲＩＢ−ＳＴＤ−Ｂ４０  Ｖｅｒｓｉｏｎ４．４  参照）ものである。
【００６６】
リピート取得部１１７（リピート取得手段に相当する）は、予約判定部１１４によって次回以降の番組の録画を予約すると判定された場合に、第１録画予約部１１２によって録画を予約する設定が行われた番組に対応し、再放送の回数を示す情報であるリピート情報を、番組表記憶部１２１に格納された電子番組表情報を介して取得して、識別情報記憶部１２３に記録する（＝書き込む）ものである。また、リピート取得部１１７は、禁止部１１８からの指示に従って、第２録画予約部１１５によって検索された録画対象番組のリピート情報を、番組表取得部１１１によって取得された電子番組表情報を介して取得するものである。
【００６７】
具体的には、リピート取得部１１７は、リピート情報として、電子番組表情報に含まれ、第１録画予約部１１２によって録画を予約する設定が行われた番組、及び、録画対象番組に対応する番組情報（ＥＩＴ）のシリーズ記述子に含まれるリピートラベル情報（ｒｅｐｅａｔ＿ｌａｂｅｌ）を取得する（ＡＲＩＢ−ＳＴＤ−Ｂ４０  Ｖｅｒｓｉｏｎ４．４  参照）ものである。
【００６８】
禁止部１１８（禁止手段に相当する）は、リピート取得部１１７に対して、第２録画予約部１１５によって検索された録画対象番組のリピート情報（ここでは、リピートラベル情報（ｒｅｐｅａｔ＿ｌａｂｅｌ））を、番組表取得部１１１によって取得された電子番組表情報を介して取得させると共に、取得されたリピート情報が、識別情報記憶部１２３に格納されたリピート情報（＝第１録画予約部１１２によって録画を予約する設定が行われた番組に対応するリピート情報）と一致しない場合に、第２録画予約部１１５に対して検索された録画対象番組の録画を予約することを禁止するものである。
【００６９】
最終回判定部１１９（最終回判定手段に相当する）は、第２録画予約部１１５によって録画対象番組の録画が予約された場合に、該録画対象番組の放送回数を示す放送回数情報（ここでは、エピソード番号情報（ｅｐｉｓｏｄｅ＿ｎｕｍｂｅｒ））、及び、該録画対象番組の最終回の放送回数を示す最終回回数情報（ここでは、最終エピソード番号情報（ｌａｓｔ＿ｅｐｉｓｏｄｅ＿ｎｕｍｂｅｒ））を、番組表取得部１１１によって取得された電子番組表情報を介して取得し、取得された放送回数情報が、取得された最終回回数情報と一致するか否かを判定するものである。
【００７０】
具体的には、最終回判定部１１９は、放送回数情報及び最終回回数情報として、それぞれ、電子番組表情報に含まれ、該録画対象番組に対応する番組情報（ＥＩＴ）のシリーズ記述子に含まれるエピソード番号情報（ｅｐｉｓｏｄｅ＿ｎｕｍｂｅｒ）及び最終エピソード番号情報（ｌａｓｔ＿ｅｐｉｓｏｄｅ＿ｎｕｍｂｅｒ）を取得する（ＡＲＩＢ−ＳＴＤ−Ｂ４０  Ｖｅｒｓｉｏｎ４．４  参照）ものである。
【００７１】
図４、図５は、ＨＤＤレコーダ１（主にＭＰＵ１１）の動作の一例を示すフローチャートである。なお、ここでは、便宜上、予め番組表取得部１１１によって番組表記憶部１２１に受信部１５を介して受信された電子番組表情報が格納されている場合について説明する。まず、第１録画予約部１１２によって、録画を予約する番組が設定されたか否かの判定が行われる（Ｓ１０１）。録画を予約する番組が設定されていないと判定された場合（Ｓ１０１でＮＯ）には、処理が待機状態とされる。
【００７２】
録画を予約する番組が設定されたと判定された場合（Ｓ１０１でＹＥＳ）には、パターン判定部１１３によって、ステップＳ１０１で設定された番組に対応するパターン情報が取得される（Ｓ１０３）。そして、パターン判定部１１３によって、ステップＳ１０３において取得されたパターン情報に基づいて、ステップＳ１０１において録画を予約された番組が、不定期で放送される番組であるか否かが判定される（Ｓ１０５）。不定期で放送される番組であると判定された場合（Ｓ１０５でＹＥＳ）には、処理がステップＳ１０１に戻され、ステップＳ１０１以降の処理が繰り返し実行される。
【００７３】
不定期で放送される番組ではない（＝次回以降の放送がある）と判定された場合（Ｓ１０５でＮＯ）には、予約判定部１１４によって、次回以降の番組の録画を予約するか否かが判定される（Ｓ１０７）。次回以降の番組の録画を予約しないと判定された場合（Ｓ１０７でＮＯ）には、処理がステップＳ１０１に戻され、ステップＳ１０１以降の処理が繰り返し実行される。次回以降の番組の録画を予約すると判定された場合（Ｓ１０７でＹＥＳ）には、識別情報取得部１１６によって、ステップＳ１０１において録画予約が設定された番組に対応する番組識別情報が取得される（Ｓ１０９）。そして、リピート取得部１１７によって、ステップＳ１０１において録画予約が設定された番組に対応するリピート情報が取得される（Ｓ１１１）。
【００７４】
次いで、図５に示すように、第２録画予約部１１５によって、図４のステップＳ１０９において取得された番組識別情報と同一の番組識別情報を有する番組である録画対象番組が検索される（Ｓ１１３）。次に、第２録画予約部１１５によって、録画対象番組が有るか否か（＝録画対象番組が見つかったか否か）の判定が行われる（Ｓ１１５）。録画対象番組が無いと判定された場合（Ｓ１１５でＮＯ）には、処理がステップＳ１２７に進められる。録画対象番組が有ると判定された場合（Ｓ１１５でＹＥＳ）には、リピート取得部１１７によって、ステップＳ１１３において検索された録画対象番組のリピート情報が取得される（Ｓ１１７）。
【００７５】
そして、禁止部１１８によって、ステップＳ１１７で取得されたリピート情報（＝第２録画予約部１１５によって検索された録画対象番組のリピート情報）が、図４に示すステップＳ１１１で取得されたリピート情報（＝第１録画予約部１１２によって録画を予約する番組のリピート情報）と一致するか否かの判定が行われる（Ｓ１１９）。一致しないと判定された場合（Ｓ１１９でＮＯ）には、処理がステップＳ１２７に進められる。一致すると判定された場合（Ｓ１１９でＹＥＳ）には、第２録画予約部１１５によって、ステップＳ１１３において検索された録画対象番組の録画が予約される（Ｓ１２１）。
【００７６】
そして、最終回判定部１１９によって、ステップＳ１２１において録画予約された録画対象番組の放送回数情報及び最終回回数情報が取得される（Ｓ１２３）。次いで、最終回判定部１１９によって、ステップＳ１２３において取得された放送回数情報が最終回回数情報と一致するか否か（＝録画対象番組が最終回であるか否か）の判定が行われる（Ｓ１２５）。一致すると判定された場合（Ｓ１２５でＹＥＳ）には、処理が終了される。
【００７７】
一致しないと判定された場合（Ｓ１２５でＮＯ）、ステップＳ１１５でＮＯの場合、又は、ステップＳ１１９でＮＯの場合には、第２録画予約部１１５によって、所定期間（例えば、６時間）が経過したか否かの判定が行われる（Ｓ１２７）。所定期間が経過していないと判定された場合（Ｓ１２７でＮＯ）には、処理が待機状態とされる。所定期間が経過したと判定された場合（Ｓ１２７でＹＥＳ）には、第２録画予約部１１５によって、番組表取得部１１１を介して電子番組表情報が取得され（Ｓ１２９）、処理がステップＳ１１３に戻され、ステップＳ１１３以降の処理が繰り返し実行される。
【００７８】
このようにして、デジタル方式のテレビジョン放送を受信する受信部１５を介して、電子番組表情報が取得され、取得された電子番組表情報が番組表記憶部１２１に格納される。そして、リモコン３を介してユーザからの操作入力が受け付けられて、受け付けられた操作入力に基づいて、番組表記憶部１２１に格納された電子番組表情報を介して、録画を予約する番組が設定され、録画を予約する番組が設定された場合に、番組表記憶部１２１に格納された電子番組表情報を介して、該番組が不定期で放送される番組であるか否かを示すパターン情報が取得され、取得されたパターン情報に基づいて、録画を予約された番組が、不定期で放送される番組であるか否かが判定される。更に、不定期で放送される番組ではないと判定された場合に、リモコン３を介してユーザからの操作入力が受け付けられて、受け付けられた操作入力に基づいて、録画を予約する設定が行われた番組について、次回以降の番組の録画を予約するか否かが判定され、次回以降の番組の録画を予約すると判定された場合に、予め設定された所定期間毎に電子番組表が取得され、取得された電子番組表情報を介して、次回以降の番組の録画が予約されるため、利便性良好に録画予約することができる。
【００７９】
すなわち、録画を予約する番組が設定された場合に、番組表記憶部１２１に格納された電子番組表情報を介して、該番組が不定期で放送される番組であるか否かを示すパターン情報が取得され、取得されたパターン情報に基づいて、録画を予約された番組が、不定期で放送される番組であるか否かが判定され、不定期で放送される番組ではないと判定された場合に、リモコン３を介してユーザからの操作入力が受け付けられて、受け付けられた操作入力に基づいて、録画を予約する設定が行われた番組について、次回以降の番組の録画を予約するか否かが判定されるため、不定期で放送される番組について、ユーザの誤操作等によって次回以降の番組の録画が誤って予約されることを確実に防止することができるので、利便性良好に録画予約することができるのである。
【００８０】
また、次回以降の番組の録画を予約すると判定された場合に、予め設定された所定期間毎に電子番組表が取得され、取得された電子番組表情報を介して、次回以降の番組の録画が予約されるため、ユーザが次回以降の番組の録画を予約する必要がないので、利便性良好に録画予約することができるのである。
【００８１】
更に、番組が不定期で放送される番組であるか否かを示すパターン情報として、番組表記憶部１２１に格納された電子番組表に含まれ、録画を予約する設定が行われた番組に対応する番組情報（ＥＩＴ）のシリーズ記述子（Ｓｅｒｉｅｓ  Ｄｅｓｃｒｉｐｔｏｒ）に含まれる番組パターン情報（ｐｒｏｇｒａｍ＿ｐａｔｔｅｒｎ）が取得されるため、的確なパターン情報を容易に取得することができるので、更に利便性良好に録画予約することができる。
【００８２】
加えて、次回以降の番組の録画を予約すると判定された場合に、録画を予約する設定が行われた番組に対応し、番組を識別する情報である番組識別情報が、番組表記憶部１２１に格納された電子番組表情報を介して取得され、取得された番組識別情報が識別情報記憶部１２３に格納される。そして、電子番組表情報の中から、識別情報記憶部１２３に格納された番組識別情報と同一の番組識別情報を有する番組である録画対象番組が検索され、検索された録画対象番組の録画が予約されるため、更に利便性良好に録画予約することができる。
【００８３】
すなわち、録画を予約する設定が行われた番組に対応し、番組を識別する情報である番組識別情報と同一の番組識別情報を有する番組である録画対象番組が検索され、検索された録画対象番組の録画が予約されるため、何らかの事情により番組名が変更された場合であっても確実に次回以降の番組の録画を予約することができるので、更に利便性良好に録画予約することができるのである。
【００８４】
また、番組識別情報として、電子番組表情報に含まれ、録画を予約する設定が行われた番組に対応する番組情報（ＥＩＴ）のシリーズ記述子（Ｓｅｒｉｅｓ  Ｄｅｓｃｒｉｐｔｏｒ）に含まれるサービスＩＤ情報（ｓｅｒｖｉｃｅ＿ｉｄ）が取得されるため、的確な番組識別情報を容易に取得することができるので、更に利便性良好に録画予約することができる。
【００８５】
更に、次回以降の番組の録画を予約すると判定された場合に、録画を予約する設定が行われた番組に対応し、再放送の回数を示す情報であるリピート情報が、番組表記憶部１２１に格納された電子番組表情報を介して取得されて、識別情報記憶部１２３に記録される。そして、検索された録画対象番組のリピート情報が、電子番組表情報を介して取得されると共に、取得されたリピート情報が、識別情報記憶部１２３に格納されたリピート情報と一致しない場合に、検索された録画対象番組の録画を予約することが禁止されるため、更に利便性良好に録画予約することができる。
【００８６】
すなわち、検索された録画対象番組に対応する再放送の回数を示す情報であるリピート情報が、録画を予約する設定が行われた番組に対応するリピート情報と一致しない場合に、検索された録画対象番組の録画を予約することが禁止されるため、番組識別情報が同一の番組が複数の放送局から受信される場合であっても、これらの番組は、リピート情報が相違しているので、同一の番組が重複して記録されることを防止することができ、更に利便性良好に録画予約することができるのである。
【００８７】
加えて、リピート情報として、電子番組表情報に含まれ、録画を予約する設定が行われた番組、及び、録画対象番組に対応する番組情報（ＥＩＴ）のシリーズ記述子に含まれるリピートラベル情報（ｒｅｐｅａｔ＿ｌａｂｅｌ）が取得されるため、的確なリピート情報を容易に取得することができるので、更に利便性良好に録画予約することができる。
【００８８】
また、録画対象番組の録画が予約された場合に、該録画対象番組の放送回数を示す放送回数情報、及び、該録画対象番組の最終回の放送回数を示す最終回回数情報が、取得された電子番組表情報を介して取得され、取得された放送回数情報が、取得された最終回回数情報と一致するか否かが判定される。そして、最終回回数情報と一致すると判定された場合に、番組の録画の予約処理が終了されるため、更に利便性良好に録画予約することができる。
【００８９】
すなわち、録画対象番組の録画が予約された場合に、録画対象番組の放送回数を示す放送回数情報が、録画対象番組の最終回の放送回数を示す最終回回数情報と一致すると判定された場合に、番組の録画の予約処理が終了されるため、最終回の録画予約がされた時点で、番組の録画の予約処理が終了されるので、更に利便性良好に録画予約することができるのである。
【００９０】
更に、放送回数情報及び最終回回数情報として、それぞれ、電子番組表情報に含まれ、録画対象番組に対応する番組情報（ＥＩＴ）のシリーズ記述子に含まれるエピソード番号情報（ｅｐｉｓｏｄｅ＿ｎｕｍｂｅｒ）及び最終エピソード番号情報（ｌａｓｔ＿ｅｐｉｓｏｄｅ＿ｎｕｍｂｅｒ）が取得されるため、的確な放送回数情報及び最終回回数情報を容易に取得することができるので、更に利便性良好に録画予約することができる。
【００９１】
なお、本発明は、以下の形態にも適用可能である。
（Ａ）本実施形態では、デジタル放送記録装置が、デジタル放送を受信してＨＤＤ１９に格納可能に構成されたＨＤＤレコーダ１である場合について説明したが、デジタル放送記録装置が、デジタル放送を受信して、受信された映像情報を格納する装置であればよい。例えば、デジタル放送記録装置が、ＤＶＤレコーダ、ビデオテープレコーダ等である形態でもよい。
【００９２】
（Ｂ）本実施形態では、ＭＰＵ１１が番組表取得部１１１、第１録画予約部１１２、パターン判定部１１３、予約判定部１１４、第２録画予約部１１５、識別情報取得部１１６、リピート取得部１１７、禁止部１１８、最終回判定部１１９等の機能部を備える場合について説明したが、番組表取得部１１１、第１録画予約部１１２、パターン判定部１１３、予約判定部１１４、第２録画予約部１１５、識別情報取得部１１６、リピート取得部１１７、禁止部１１８、及び、最終回判定部１１９の内、少なくとも１の機能部が回路等のハードウェアによって実現されている形態でもよい。
【図面の簡単な説明】
【００９３】
【図１】は、本発明に係るＨＤＤレコーダの構成の一例を示すブロック図である。
【図２】は、本発明に係るＨＤＤレコーダにおける主要部の構成の一例を示すブロック図である。
【図３】は、パターン判定部によってパターン情報として使用される番組パターン情報の一例を示す図表、及び、予約判定部によってディスプレイに表示される番組予約画面の一例を示す画面図である。
【図４】は、ＨＤＤレコーダ（主にＭＰＵ）の動作の一例を示すフローチャート（前半部）である。
【図５】は、ＨＤＤレコーダ（主にＭＰＵ）の動作の一例を示すフローチャート（後半部）である。
【符号の説明】
【００９４】
１    ＨＤＤレコーダ（デジタル放送記録装置）
１１    ＭＰＵ
１１１    番組表取得部（番組表取得手段）
１１２    第１録画予約部（第１録画予約手段の一部）
１１３    パターン判定部（パターン判定手段）
１１４    予約判定部（予約判定手段の一部）
１１５    第２録画予約部（第２録画予約手段）
１１６    識別情報取得部（識別情報取得手段）
１１７    リピート取得部（リピート取得手段）
１１８    禁止部（禁止手段）
１１９    最終回判定部（最終回判定手段）
１２    ＲＡＭ
１２１    番組表記憶部（番組表記憶手段）
１２２    録画予約記憶部
１２３    識別情報記憶部（識別情報記憶手段）
１５    受信部（受信手段）
１９    ＨＤＤ
２    出力装置
２１    ディスプレイ（モニタ）
３    リモコン（第１録画予約手段の一部、予約判定手段の一部）
【図１】
2009049836.tif 000003
【図２】
2009049836.tif 000004
【図３】
2009049836.tif 000005
【図４】
2009049836.tif 000006
【図５】
2009049836.tif 000007